(57)【特許請求の範囲】
【請求項１】
電力を供給する電力供給装置と、該電力供給装置から電力の供給を受けて駆動される複数台の電動射出成形機とからなり、これらが伝送用電圧線によって相互に接続されている射出成形機システムであって、
前記電力供給装置は、工場から供給される三相交流電圧を直流電圧に変換する交流直流変換回路と、電力を貯蔵すると共に必要に応じて直流電圧として供給する蓄電装置とを備え、該電力供給装置から前記伝送用電圧線に出力される電力は伝送用の直流電圧である伝送用直流電圧にされ、
前記電動射出成形機は直流電圧昇降圧回路を備え、前記伝送用電圧線からの前記伝送用直流電圧が前記直流電圧昇降圧回路によって駆動用直流電圧に昇圧され、該駆動用直流電圧が前記電動射出成形機に設けられているインバータに供給されるようになっていることを特徴とする射出成形機システム。
【請求項２】
請求項１に記載の射出成形機システムにおいて、前記電力供給装置と複数台の前記電動射出成形機は相互にネットワーク接続され、前記電動射出成形機に関する情報が前記電力供給装置に送信されるようになっていることを特徴とする射出成形機システム。
【請求項３】
請求項１に記載の射出成形機システムにおいて、前記射出成形機システムは情報処理装置を備え、該情報処理装置と前記電力供給装置と複数台の前記電動射出成形機は相互にネットワーク接続され、前記電動射出成形機に関する情報が前記情報処理装置に送信されるようになっていることを特徴とする射出成形機システム。
【発明の詳細な説明】
【技術分野】
【０００１】
本発明は、複数台の電動射出成形機からなる射出成形機システムに関するものである。
【背景技術】
【０００２】
射出成形機は、従来周知のように、金型を型締めする型締装置、樹脂を溶融して金型内に射出する射出装置、等から構成され、射出装置は加熱シリンダ、この加熱シリンダ内に軸方向と回転方向とに駆動されるスクリュ等から構成されている。電動射出成形機は、これらの装置がモータによって駆動されるようになっている。電動射出成形機はコンバータと、複数個のサーボアンプつまりインバータとを備えており、工場から供給される三相交流電力がコンバータによって直流電圧に変換され、この直流電圧からインバータによって所望の周波数の三相交流電圧が生成されてモータに供給され、各装置が駆動される。ところで電動射出成形機は、成形サイクルに必要な電力量は比較的小さいが、射出工程において短時間に大電力を必要とする。従って電動射出成形機が設置される工場においては、射出工程における最大電力を考慮して大容量の受電設備が設けられている。また最大電力が大きいので契約電気料金も高くならざるを得ない。
【先行技術文献】
【特許文献】
【０００３】
【特許文献１】特開２００８−８７９３８号公報
【特許文献２】特開２０１３−１５４４７５号公報
【特許文献３】特開２０１３−１８１５２号公報
【０００４】
特許文献１には、成形サイクルを通して消費される電力が平滑化される電動射出成形機が提案されている。この電動射出成形機においては、コンバータの出力側である直流電圧線に電力貯蔵装置が設けられている。電力貯蔵装置はインバータによる電力消費が少ない工程のとき、例えば型開閉工程、可塑化工程等において直流電圧線から電力を得て貯蔵する。そして電力消費が多い工程のとき、具体的には射出工程において、貯蔵された電力を直流電圧として直流電圧線に供給する。このように特許文献１に記載の電動射出成形機は直流電圧線に電力を貯蔵・供給できる電力貯蔵装置が設けられているので、電動射出成形機に供給される電力は平滑化され、最大電力は小さくなる。そうすると工場の受電設備の容量は小さくて済み、契約電気料金も少なくなる。
【０００５】
ところで工場が停電すると電動射出成形機は必然的に電力の供給が受けられなくなる。成形サイクルの途中で電動射出成形機が停止してしまうと危険もある。例えば型開閉中の動作中に電動射出成形機が停止してしまうと慣性により型盤が動作して金型を破損する可能性がある。特許文献２には、工場の停電が発生した場合でも、所定の時間だけ電動射出成形機を駆動することができ、それによって各装置を安全な状態にすることができる電動射出成形機が提案されている。特許文献２に記載の電動射出成形機は、特許文献１に記載の電動射出成形機と同様に、コンバータの出力側の直流電圧線に電力貯蔵装置が設けられている。これによって停電時でも直流電圧線に直流電圧は供給される。ところで、各装置を制御するコントローラは、正常時には制御用電源から制御用の直流電圧の供給を受けて動作している。特許文献２に記載の電動射出成形機においては、停電が検出されたら、電力貯蔵装置が供給している直流電圧がチョッパ回路を介して降圧される。停電時にはこれが制御用の直流電圧として利用される。この降圧された制御用の直流電圧によりコントローラが正常に動作でき、停電時においても所定時間は電動射出成形機が制御可能になる。これによって電動射出成形機を安全な状態にして停止することができる。
【０００６】
本発明と、発明の目的は全く相違してはいるが、発明の構成が若干類似している射出成形機システムが特許文献３に提案されている。この文献に記載の射出成形機システム５０は、図４に示されているように、コンバータを含む電源装置５１と、この電源装置５１から直流電圧の供給を受ける複数台の電動射出成形機５２、５２、…とから構成されている。このシステム５０において、電源装置５１はコンバータ５５と蓄電装置５７とを備え、外部電源５３から供給される三相交流電圧はコンバータ５５によって直流電圧に変換され、蓄電装置５７によって直流電圧が電力として貯蔵されると共に、必要に応じて貯蔵された電力が直流電圧として供給されるようになっている。この射出成形機システム５０において、電動射出成形機５２、５２、…は、直流電圧を安定化させる平滑化コンデンサ５９は備えているが、直流電圧は直流電圧線５４を介して電源装置５１から供給を受けるのでコンバータは不要になっている。電動射出成形機５２、５２、…には、射出装置のスクリュを駆動する射出軸、可塑化軸、そして型締装置を型開閉する型締軸等の各軸に対応するインバータとモータとが設けられ、直流電圧から三相交流電圧が生成されて各装置が駆動されるようになっている。ところでこの文献によると、一般的な電動射出成形機では電動射出成形機毎に蓄電装置が設けられ、各装置から回生される電力が充電されるようになっている。この射出成形機システム５０においては、回生電力を貯蔵・供給する蓄電装置５７は電源装置５１側に１個だけ備えればよく、電動射出成形機５２、５２、…毎に蓄電装置を必要としない。従って全体としてコストが小さくなっている。
【０００７】
特許文献３には、他の射出成形機システム５０’も提案されている。この射出成形機システム５０’も、図５に示されているように、１台の電源装置５１’と、複数台の電動射出成形機５２’、５２’、…とから構成されているが、電源装置５１’から各電動射出成形機５２’、５２’、…には、直流電圧によってではなく、矩形波からなる交流電圧によって電力が供給されるようになっている。具体的には、電源装置５１’にはＤＣ／矩形波コンバータ６１が設けられ、コンバータ５５が変換した直流電圧が矩形波からなる交流電圧に変換されている。矩形波の交流電圧は矩形波電圧線６２を介して各電動射出成形機５２’、５２’、…に供給されており、各電動射出成形機５２’、５２’、…には矩形波／ＤＣコンバータ６３が設けられ、矩形波の交流電圧が直流電圧に変換されている。射出成形機システム５０’においても、図４に示されている射出成形機システム５０と同様に、コンバータ５５や蓄電装置５７を電動射出成形機５２’、５２’、…毎に設ける必要がなく、全体として低コストでシステムを提供することができる。
【発明の概要】
【発明が解決しようとする課題】
【０００８】
特許文献１に記載の電動射出成形機は、電力貯蔵装置が設けられているので、消費される電力が平滑化され、工場から必要になる三相交流電圧の最大電力は小さくて済む。従って工場の受電設備に対する負担が少なく、電気料金も少なく優れている。また特許文献２に記載の電動射出成形機は、特許文献１に記載の電動射出成形機と同様に最大電力を小さくすることができ、さらに停電時にも制御用の直流電圧が確保されるので電動射出成形機を安全な状態にすることができ優れている。しかしながら問題も見受けられる。具体的には、電動射出成形機が複数台あるとき、同様の効果を得ようとすると、全ての電動射出成形機に電力貯蔵装置を設ける必要があるのでコストが嵩むという問題がある。また停電時に駆動できる時間が短いという問題がある。特許文献２の発明の目的に鑑みると、電力貯蔵装置の容量は、停電時に電動射出成形機を安全な状態にして停止するのに必要な電力を貯蔵する程度であるので、電動射出成形機を長時間駆動することは考慮されていない。仮に、大量の電力が貯蔵されるように大型の電力貯蔵装置を設けるようにすれば、停電時であっても長時間電動射出成形機の運転は可能になる。しかしながら大型の電力貯蔵装置を設けると、電動射出成形機が大型化してしまうしコスト高になってしまう。
【０００９】
特許文献３に記載の射出成形システム５０、５０’において、蓄電装置５７が設けられている目的は、回生電力を貯蔵し、適宜これを供給することである。つまり、電動射出成形機５２、５２’の成形サイクルにおける電力の平滑化を目的とするものでもないし、停電時に電動射出成形機５２、５２’が駆動できるように電力を供給することを目的とするものでもない。しかしながら、蓄電装置５７の容量をある程度大きくすれば、各電動射出成形機５２、５２’、…の成形サイクルにおける消費電力のバラツキを緩和することができ、外部電源５３から電源装置５１に供給される電力を平滑化することはできそうである。また停電時に電動射出成形機５２、５２’、…に電力を供給することもできそうである。しかしながら、このような射出成形機システム５０、５０’にも問題が見受けられる。具体的には、直流電圧が不安定になる問題を指摘することができる。まず射出成形機システム５０を例に説明すると、電動射出成形機５２は前記したように射出工程において大電力を消費する。射出工程に要する時間は成形サイクル全体の中でごくわずかであるが、大電力が消費されるので瞬間的に直流電圧が低下してしまう。一応電動射出成形機５２には平滑化コンデンサ５９が設けられているので、直流電圧線５４の直流電圧の低下は若干緩和はされる。しかしながら直流電圧の低下は他の電動射出成形機５２の運転にとって影響する。もし、複数台の電動射出成形機５２、５２、…において同時に射出工程が実施されると、直流電圧の瞬間的な低下は無視できなくなり、他の電動射出成形機５２の制御に悪影響を及ぼしてしまう。射出成形機システム５０’においても同様の問題がある。射出工程における直流電圧の低下の影響は、矩形波電圧線６２における矩形波交流電圧の低下となって現れる。もし複数台の電動射出成形機５２’、５２’、…において同時に射出工程が実施されると、電圧低下は大きくなり、他の電動射出成形機５２’の運転に支障がでてしまうからである。
【００１０】
本発明は、上記したような問題点を解決した射出成形機システムを提供することを目的とし、具体的には、工場から供給される電力が平滑化され、それによって工場の受電設備に対する負担が少ないと共に電気料金が安く、停電時に所定時間電動射出成形機が運転でき、システムに属している全ての電動射出成形機が必要な電力が安定的に得られるような射出成形機システムを提供することを目的としている。
【課題を解決するための手段】
【００１１】
本発明は、上記目的を達成するために、電力を供給する電力供給装置と、該電力供給装置から電力の供給を受けて駆動される複数台の電動射出成形機とからなり、これらが伝送用電圧線によって相互に接続されている射出成形機システムとして構成する。電力供給装置は、交流直流変換回路と蓄電装置とを備える。工場から供給される三相交流電圧は交流直流変換回路によって直流電圧に変換され、蓄電装置には電力を貯蔵されると共に必要に応じて直流電圧として供給されるようにする。このような電力供給装置から伝送用電圧線を介して電動射出成形機に供給される電力は電力伝送用の伝送用直流電圧として送電される。電動射出成形機は直流電圧昇降圧回路を備え、電力供給装置から供給される伝送用直流電圧は直流電圧昇降圧回路によって駆動用直流電圧に昇圧される。電動射出成形機内のインバータにはこの駆動用直流電圧が供給されることになる。
【００１２】
すなわち、請求項１に記載の発明は、上記目的を達成するために、電力を供給する電力供給装置と、該電力供給装置から電力の供給を受けて駆動される複数台の電動射出成形機とからなり、これらが伝送用電圧線によって相互に接続されている射出成形機システムであって、前記電力供給装置は、工場から供給される三相交流電圧を直流電圧に変換する交流直流変換回路と、電力を貯蔵すると共に必要に応じて直流電圧として供給する蓄電装置とを備え、該電力供給装置から前記伝送用電圧線に出力される電力は伝送用の直流電圧である伝送用直流電圧にされ、前記電動射出成形機は直流電圧昇降圧回路を備え、前記伝送用電圧線からの前記伝送用直流電圧が前記直流電圧昇降圧回路によって駆動用直流電圧に昇圧され、該駆動用直流電圧が前記電動射出成形機に設けられているインバータに供給されるようになっていることを特徴とする射出成形機システムとして構成される。
請求項２に記載の発明は、請求項１に記載の射出成形機システムにおいて、前記電力供給装置と複数台の前記電動射出成形機は相互にネットワーク接続され、前記電動射出成形機に関する情報が前記電力供給装置に送信されるようになっていることを特徴とする射出成形機システムとして構成される。
請求項３に記載の発明は、請求項１に記載の射出成形機システムにおいて、前記射出成形機システムは情報処理装置を備え、該情報処理装置と前記電力供給装置と複数台の前記電動射出成形機は相互にネットワーク接続され、前記電動射出成形機に関する情報が前記情報処理装置に送信されるようになっていることを特徴とする射出成形機システムとして構成される。
【発明の効果】
【００１３】
以上のように本発明は、電力を供給する電力供給装置と、該電力供給装置から電力の供給を受けて駆動される複数台の電動射出成形機とからなり、これらが伝送用電圧線によって相互に接続されている射出成形機システムとして構成されている。電力供給装置は、工場から供給される三相交流電圧を直流電圧に変換する交流直流変換回路と、電力を貯蔵すると共に必要に応じて直流電圧として供給する蓄電装置とを備え、該電力供給装置から伝送用電圧線に出力される電力は伝送用の直流電圧である伝送用直流電圧にされるようになっている。そして電動射出成形機は直流電圧昇降圧回路を備え、伝送用電圧線からの伝送用直流電圧が直流電圧昇降圧回路によって駆動用直流電圧に昇圧され、該駆動用直流電圧が電動射出成形機に設けられているインバータに供給されるようになっている。このように電力を供給する電力供給装置は蓄電装置を備えているので、必要に応じて蓄電装置に電力を貯蔵したり蓄電装置から電力を供給したりできる。そうすると、結果的に工場から電力供給装置に供給される三相交流電圧の電力が平滑化され、最大電力は小さくなる。従って本発明の射出成形機システムは工場の受電設備に対する負担が少なく、電気料金は安くなる。また蓄電装置の蓄電容量を十分に大きくすれば、停電時にも電動射出成形機に電力を供給することができ、電動射出成形機を運転し続けることができる。そして本発明によると、電動射出成形機は、直流電圧昇降圧回路によって伝送用直流電圧を駆動用直流電圧に昇圧してインバータに供給している。そうすると、もし他の電動射出成形機において大量の電力が消費されて伝送用直流電圧が一時的に低下したとしても、直流電圧昇降圧回路を適切に制御して駆動用直流電圧は一定に安定させることができる。つまり伝送用直流電圧が一時的に低下しても、インバータの電力供給には全く影響を与えない。本発明によると電動射出成形機は、必要な電力が安定的に得られることが保証される。
【００１４】
他の発明によると、射出成形機システムにおいて、電力供給装置と複数台の電動射出成形機は相互にネットワーク接続され、電動射出成形機に関する情報が電力供給装置に送信されるようになっている。また他の発明によると、射出成形機システムは情報処理装置を備え、該情報処理装置と電力供給装置と複数台の電動射出成形機は相互にネットワーク接続され、電動射出成形機に関する情報が情報処理装置に送信されるようになっている。従って、これらの発明においては射出成形機システムに属する電動射出成形機の電力情報や動作情報を送信して電力供給装置または情報処理装置で集中的に管理できる。例えば電力情報であれば、平均電力であったり、瞬時電力であったり、色々な電力情報を管理することができる。これらの電力情報はディスプレイに表示することもできるし、あるいはシステム全体における合計の電力が電力供給装置が供給できる最大電力に近づいてきたら警報を発することもできる。さらには、電力供給装置が供給可能な最大電力に近づいてきたら、システムに属する電動射出成形機に、電力の消費量が多い工程、つまり射出工程を遅らせるような指令を出すことも可能になる。
【図面の簡単な説明】
【００１５】
【図１】本発明の実施の形態に係る射出成形機システムを示す、システムブロック図である。
【図２】本発明の実施の形態に係る電力供給装置を示す図で、その（ア）（イ）はそれぞれ異なる実施の形態に係る電力供給装置を示すブロック図である。
【図３】本発明の実施の形態に係る電動射出成形機に設けられている、直流電圧昇降圧回路を示す回路図である。
【図４】従来の射出成形機システムを示す、システムブロック図である。
【図５】従来の射出成形機システムを示す、システムブロック図である。
【発明を実施するための形態】
【００１６】
以下、本発明の実施の形態について説明する。本発明の実施の形態に係る射出成形機システム１は、図１に示されているように、１台の電力供給装置２と、複数台の電動射出成形機３、３、…と、そして上位コントローラである情報処理装置４とから構成されている。この射出成形機システム１において、工場電源５から供給される電力は電力供給装置２において一括で受け入れられ、後で説明する所定の電圧である伝送用直流電圧として出力される。それぞれの電動射出成形機３、３、…にはこの伝送用直流電圧が供給されるようになっている。
【００１７】
電力供給装置２は、交流直流変換回路７と蓄電装置８とからなる。交流直流変換回路７は、工場電源５から供給される例えば２００Ｖの三相交流電圧を所定の直流電圧に変換する回路であり、本実施の形態においてはＰＷＭコンバータからなる。ＰＷＭコンバータからなるので、工場の三相交流電圧を所望の電圧の直流電圧に変換できるだけでなく、直流電圧側に余剰の電力、例えば回生電力により電力が余剰となれば工場電源５に電力を戻すこともできる。ところで交流直流変換回路７は必ずしもＰＷＭコンバータから構成する必要はなく、例えばシンプルなダイオード整流回路から構成するようにしてもよい。ダイオード整流回路は回生電力等の余剰な電力を工場電源５に戻すことはできないが、余剰な電力は次に説明する蓄電装置８に蓄電されるので実質的に問題はないからである。
【００１８】
蓄電装置８は、色々な構成を採ることができるが、本実施の形態に係る電力供給装置２においては、図２の（ア）に示されているように、降圧充電回路１１と、伝送電圧変換回路１２と、蓄電池からなる蓄電器１３とから構成されている。降圧充電回路１１はＤＣチョッパ回路からなり、交流直流変換回路７から直流電圧が出力される第１の直流電圧線１５に接続されている。そして第１の直流電圧線１５の直流電圧を降圧して蓄電に適した蓄電用直流電圧に変換して第２の直流電圧線１６に供給するようになっている。蓄電器１３は第２の直流電圧線１６に接続され、蓄電用直流電圧の電力を得て蓄電するようになっている。また蓄電器１３は、射出成形機システム１の消費電力が大きくなって一時的に蓄電用電流電圧が低下すると第２の直流電圧線１６に電力を供給するようになっている。伝送電圧変換回路１２もＤＣチョッパ回路からなり、このような第２の直流電圧線１６に接続されている。そして第２の直流電圧線１６の蓄電用直流電圧を昇圧して伝送用の直流電圧、例えば２００Ｖの伝送用直流電圧にして、伝送用電圧線２０に供給する。また電動射出成形機３、３、…から回生電力が回生されて伝送用直流電圧が一時的に高くなった場合には、伝送用直流電圧を降圧して第２の直流電圧線１６に供給することもある。この場合にも蓄電器１３に電力が貯蔵されることになる。このように蓄電装置８は、余剰の電力があるときには蓄電器１３に電力を貯蔵し、伝送用電圧線２０に適宜伝送用直流電圧として電力を供給するようになっている。なお、この実施の形態において第２の直流電圧線１６に供給されている蓄電用直流電圧は伝送用電圧線２０に供給される伝送用直流電圧より低電圧になっているが、同じ電圧として構成することもできる。この場合には伝送電圧変換回路１２は不要であり、降圧充電回路１１は直接伝送電圧線２０に接続するようにする。
【００１９】
電動射出成形機３は、従来周知の電動射出成形機と同様に、金型を型締めする型締装置、加熱シリンダとスクリュとからなり樹脂を溶融して射出する射出装置、成形品を突き出す突出装置、等から構成され、これらの各装置はサーボモータ等のモータによって駆動されるようになっている。これらのモータを駆動するためのサーボアンプ等のインバータ２２、２３、２４、…が、図１において、射出軸２２、可塑化軸２３、型締軸２４、…等のように示されている。
【００２０】
本実施の形態に係る電動射出成形機３は、前記したように電力供給装置２からの伝送用直流電圧が電力として供給されるようになっている。伝送用直流電圧は、伝送用電圧線２０を介して供給されるが、他の電動射出成形機３において大量の電力が消費されると一時的に電圧が変化してしまい、インバータ２２、２３、…に安定した直流電圧が供給できなくなってしまう。そこで本実施の形態に係る電動射出成形機３は、この伝送用直流電圧を昇圧して、インバータ２２、２３、…の供給に適した安定した直流電圧に変換する直流電圧昇降圧回路２５を備えている。直流電圧昇降圧回路２５は、伝送用電圧線２０と、インバータ２２、２３、…に駆動用の直流電圧である駆動用直流電圧を供給する駆動用電圧線２６とに接続されている。
【００２１】
直流電圧昇降圧回路２５の例が図３に示されている。直流電圧昇降圧回路２５は、第１、２のパワートランジスタ２８、２９と、第１、２のパワートランジスタ２８、２９に対して並列に設けられている第１、２のダイオード３０、３１と、リアクトル３２とからなる、周知のＤＣチョッパ回路として構成されている。直流電圧昇降圧回路２５は制御装置３３によって駆動されるようになっており、リアクトル３２を流れる電流は電流センサ３５によって、そして駆動用直流電圧は駆動用電圧線２６において、それぞれ監視されている。制御装置３３によって第１、２のパワートランジスタ２８、２９が適切にＯＮ／ＯＦＦされ、駆動用電圧線２６における駆動用直流電圧、例えば３５０Ｖの直流電圧が一定になるように制御されている。このような直流電圧昇降圧回路２５は、伝送用直流電圧が多少変動しても、インバータ２２、２３、…に供給される駆動用直流電圧を安定させることができるので、直流電圧安定化回路ということもできる。このように駆動用直流電圧が安定的に供給されるので電動射出成形機３、３、…は安定的に駆動できる。
【００２２】
一般的に電動射出成形機は、成形サイクルを通じて消費される電力が変動する。型開閉工程や計量工程における消費電力は比較的小さいが、射出工程における消費電力は非常に大きい。本実施の形態に係る射出成形機システム１は、工場電源５から供給される電力を一括で電力供給装置２で受け、これを伝送用直流電圧に変換して複数台の電動射出成形機３、３、…に供給するようにしているので、工場電源５からの電力供給は十分に平滑化される。すなわち電力供給装置２は蓄電装置８を備えているので、蓄電装置８において電力を貯蔵したり、電力を供給することができ、射出成形機システム１全体で消費される電力を平滑化できるからである。従って、このようなシステムだけでも全体として十分に消費される電力が平滑化され、工場の受電設備の負担が少なく電気料金は安くすることができる。また工場電源５の停電時も蓄電装置８に蓄電されている電力によってある程度射出成形機システム１を運転することはできる。つまり本発明が目的としている効果は十分に得られる。しかしながら、複数台の電動射出成形機３、３、…において射出工程が実質的に同時に実施されると、消費される電力が一時的に大きくなり、蓄電装置８から供給される電力だけでは十分でなく一時的に工場電源５からの三相交流電圧の消費が大きくなる場合もある。システムの管理者にとって、全体の電力の消費の傾向を把握することは重要である。そこで、本実施の形態に係る射出成形機システム１は、次に説明するように、それぞれの電動射出成形機３、３、…において消費される電力等の情報や成形動作情報をやりとりし、これによって管理者が電力の消費について把握できるようになっている。
【００２３】
本実施の形態に係る射出成形機システム１は、図１に示されているように、電力供給装置２、電動射出成形機３、３、…、そして情報処理装置４が、ネットワーク３８によって互いに接続されている。各電動射出成形機３、３、…は電力に関する色々な情報を情報処理装置４に送る。例えば、現在の瞬間的な電力である瞬時電力、成形サイクル全体における平均の電力である平均電力、成形サイクル全体における最大の電力である最大電力等である。また、各射出成形機３、３、…における、瞬時、平均の電流、電圧を送るようにしてもよい。そしてこのような電力情報だけでなく、各射出成形機３、３、…における成形サイクルの情報、つまり成形動作に関する情報をやりとりすることもできる。成形動作に関する情報として、例えば射出開始、型開完了等の成形サイクルの各工程の開始、完了等の情報を送ることができる。このような情報はタイムスタンプと共に送信してもよく、各射出成形機３、３、…において、成形サイクルのどのタイミングでどの位の電力が消費されているか、情報処理装置４において集計し、分析することができる。情報処理装置４においては電力に関する情報を収集し、必要に応じて集計する。全ての電動射出成形機３、３、…について、平均電力を合計して射出成形機システム１の合計の平均電力を得てもよい。最大電力の合計を計算し、全ての電動射出成形機３、３、…において射出工程が同時に実施された場合に予想される最大の電力を計算してもよい。電力供給装置２からは、工場電源５から供給されている三相交流電圧の瞬時電力や、伝送用直流電圧として供給可能な最大電力等が情報処理装置４に送られる。情報処理装置４は、これらの電力に関する情報を付属の表示器に表示する。そして電動射出成形機３、３、…において必要になる電力が、電力供給装置２から供給可能な最大電力を越えそうな場合には警報を発するようにする。
【００２４】
本実施の形態に係る射出成形機システム１は、ネットワーク接続されているので、情報処理装置４から各電動射出成形機３、３、…の成形サイクルをコントロールすることもできる。例えば、各電動射出成形機３、３、…から電力に関する情報だけでなく、現在実施中の工程や次に実施する工程等の工程情報も情報処理装置４に送信するようにする。情報処理装置４では現在の電力を監視し、成形機システム１における消費電力が大きくなってきたと判断したら、これから射出工程を実施する予定の電動射出成形機３に指令を出し、射出工程を遅らせるようにする。射出工程は前記したように大量の電力を消費するので、射出成形機システム１全体の電力を一時的に抑えることができ、工場電源５から供給される電力をさらに平滑化できることになる。なお、この例では情報処理装置４が各電動射出成形機３、３、…の工程を把握して、これから射出工程を開始しようとしている特定の電動射出成形機３に対して指令を出すようにしているが、情報処理装置４から全ての電動射出成形機３、３、…にブロードキャストするようにしてもよい。つまり射出成形機システム１の全体の消費電力が大きくなってきたときに、警報をブロードキャストで発するようにする。この警報を受け取った電動射出成形機３、３、…は、これから射出工程を実施しようとする場合には、自主的に所定時間だけ射出工程を遅らせるようにする。このような方法を採る場合には、情報処理装置４が各電動射出成形機３、３、…の工程を把握する必要はない。
【００２５】
本実施の形態に係る射出成形機システム１は、色々な変形が可能である。例えば電力供給装置２’を、図２の（イ）のように変形することができる。この実施の形態においては交流直流変換回路７は、工場電源５から供給される三相交流電圧を伝送用直流電圧に変換して直接伝送用電圧線２０に供給するようにしている。そして蓄電装置８’はこの伝送用電圧線２０に設けるようにする。蓄電装置８’は、昇降圧蓄電・供給回路３６と蓄電器１３とから構成する。昇降圧蓄電・供給回路３６は伝送用直流電圧を降圧して蓄電池である蓄電器１３の蓄電に適した直流電圧にすると共に、伝送用直流電圧の低下を検出したら、蓄電器１３から電力を取り出して直流電圧を昇圧し、伝送用直流電圧として伝送用電圧線２０に供給するようになっている。蓄電装置８は、この他にも色々な変形が可能であり、交流直流変換回路７からの直流電圧を電力として蓄電することができ、そして伝送用直流電圧の低下を検出したら、蓄電した電力を伝送用直流電圧として供給できるようになっていればどのように構成されていてもよい。
【００２６】
射出成形機システム１は、全体の変形も可能である。具体的には、電力供給装置２に情報処理装置４の機能を持たせて、情報処理装置４を省略する変形が可能である。つまり電動射出成形機３、３、…の電力に関する情報等は電力供給装置２に送信するようにし、電力供給装置２に表示器を設けてこれらの情報を表示したり、必要に応じて警報を発するようにしてもよい。この場合電力供給装置２が全体の電力を監視して、必要に応じて電動射出成形機３、３、…の成形サイクルをコントロールしてもよい。また、本実施の形態においては、電力供給装置２や電動射出成形機３、３、…は、互いにネットワーク接続されて電力に関する情報等をやりとりするように説明したが、ネットワーク接続は必須ではなく、ネットワーク接続されていなくても十分に本発明が目的としている効果が得られることは前述した通りである。
【符号の説明】
【００２７】
１      射出成形機システム        ２      電力供給装置
３      電動射出成形機            ４      情報処理装置
５      工場電源                  ７      交流直流変換回路
８      蓄電装置                １１      降圧充電回路
１２      伝送電圧変換回路        １３      蓄電器
２０      伝送用電圧線            ２５      直流電圧昇降圧回路
２６      駆動用電圧線            ３８      ネットワーク
【図１】
0006377097.tif 000002
【図２】
0006377097.tif 000003
【図３】
0006377097.tif 000004
【図４】
0006377097.tif 000005
【図５】
0006377097.tif 000006